(57)【要約】【課題】一つの駆動ボードにＬＥＤ駆動部が実装されるＬＥＤバックライトユニットが提供される。【解決手段】 本発明は、複数の分割領域を有する基板と、前記基板上に配置され、一つの前記分割領域内に配置されるＬＥＤのうち少なくとも一部は、互いに電気的に連結される複数のＬＥＤと、少なくとも二つ以上の前記分割領域内に配置された複数のＬＥＤに、駆動電力を提供するＬＥＤ駆動部と、を含むＬＥＤバックライトユニットを提供する。本発明によると、ＬＥＤ駆動部各々が、複数の分割領域に配置されたＬＥＤらを駆動することにより、ＬＥＤ駆動部の数を減少させることができ、したがって、ＬＥＤ制御の単純化、電気電子部品の数の節減、及び基板製作費用の節減を達成することができる。【選択図】図２
2007305584.tif 000002
【特許請求の範囲】
【請求項１】
複数の分割領域を有する基板と、
前記基板上に配置され、一つの前記分割領域内に配置されるＬＥＤのうち少なくとも一部は、互いに電気的に連結される複数のＬＥＤと、
少なくとも二つ以上の前記分割領域内に配置された複数のＬＥＤに、駆動電力を提供するＬＥＤ駆動部と、を含むことを特徴とするＬＥＤバックライトユニット。
【請求項２】
前記複数のＬＥＤにより放出される光量を検出するセンサ部と、
前記センサ部からの検出光量と事前決定された基準光量を比べ、その比較結果によって、前記ＬＥＤ駆動部から前記ＬＥＤに提供される電力を制御する制御部と、をさらに含むことを特徴とする請求項１に記載のＬＥＤバックライトユニット。
【請求項３】
前記複数のＬＥＤは、
赤色光を放出する複数の赤色ＬＥＤと、緑色光を放出する複数の緑色ＬＥＤと、青色光を放出する複数の青色ＬＥＤとを含み、
一つの前記分割領域に配置された前記複数の赤色、緑色及び青色ＬＥＤは、同一な色相の光を放出するＬＥＤ間に、互いに電気的に連結されることを特徴とする請求項１に記載のＬＥＤバックライトユニット。
【請求項４】
前記ＬＥＤ駆動部は、
前記複数の赤色ＬＥＤに駆動電力を提供する赤色ＬＥＤ駆動回路と、前記複数の緑色ＬＥＤに駆動電力を提供する緑路ＬＥＤ駆動回路と、前記複数の青色ＬＥＤに駆動電力を提供する青色ＬＥＤ駆動回路とを含むことを特徴とする請求項３に記載のＬＥＤバックライトユニット。
【請求項５】
前記ＬＥＤ駆動部は、電源電力をオン／オフスイッチングすることで、前記ＬＥＤに提供される駆動電力の大きさを決定するＰＷＭ駆動部を含み、
前記制御部は、前記ＰＷＭ駆動部のオン／オフスイッチングデューティ比を決定することで、前記駆動部から提供される駆動電力を制御することを特徴とする請求項２に記載のＬＥＤバックライトユニット。
【発明の詳細な説明】
【技術分野】
【０００１】
本発明は、発光ダイオード（Ｌｉｇｈｔ  Ｅｍｉｔｔｉｎｇ  Ｄｉｏｄｅ：ＬＥＤ）を光源として含むバックライトユニットに関し、より詳細には、ＬＥＤを駆動するための電力を提供するＬＥＤ駆動部全体を一つの駆動ボードに具現したＬＥＤバックライトユニットに関する。
【背景技術】
【０００２】
従来、液晶表示装置のバックライトユニットの光源として使用されていた冷陰極蛍光ランプは、水銀ガスを使用することから環境汚染を誘発する恐れがあり、応答速度が遅くて、色再現性が低いだけでなく、液晶パネルの軽薄短小化に適切しないという短所を有している。それに比べて、ＬＥＤは、環境に優しく、数ナノ秒の応答速度で高速応答が可能なのでビデオ信号ストリームに効果的であり、インパルシブ（Ｉｍｐｕｌｓｉｖｅ）駆動が可能である。そして、色再現性が優れて、赤色、緑色、青色ＬＥＤの光量を調整して、輝度、色温度などを任意に変更できる。それに、ＬＥＤは、液晶パネルの軽薄短小化に適合した長所を有しているので、最近液晶表示装置などのバックライトユニット用光源として積極的に採用されている。
【０００３】
一般に、ＬＥＤを光源として採用したバックライトユニット（ＬＥＤバックライトユニット）は、光源の位置によって、エッジ型バックライトユニットと直下型バックライトユニットに区分できる。エッジ型バックライトユニットは、横の長いバー状の光源が導光板の側面に配置して、導光板を介して液晶パネルの全面に光を照射する。直下型バックライトユニットは、液晶パネルの下部に配置し、液晶パネルとほぼ同一な面積を有する面光源から、直接液晶パネルの全面に光を照射する。通常、大型ＬＣＤＴＶのように広い面積を持つ液晶表示装置に直下型バックライトユニットを適用する場合は、液晶表示装置が有する全体面積を複数の領域に分割し、各分割された領域別に独立してＬＥＤを駆動するＬＥＤバックライトユニットが適用される。
【０００４】
図１は、従来技術によるＬＥＤバックライトユニット１００を図示した概略図である。
【０００５】
図１に示すように、従来技術によるＬＥＤバックライトユニット１００は、複数の分割領域を有する基板１１０、前記基板１１０上に配置された複数の赤色、緑色及び青色ＬＥＤ１１１及び前記ＬＥＤ１１１を駆動するための複数のＬＥＤ駆動部１２１を含んで構成される。
【０００６】
前記複数のＬＥＤ駆動部１２１のうち一つのＬＥＤ駆動部は、基板１１０上の一つの分割領域に装着された赤色、緑色及び青色ＬＥＤ１１１を駆動するように、ＬＥＤと電気的に連結される。また、前記一つのＬＥＤ駆動部１２１は、赤色ＬＥＤを駆動するための赤色ＬＥＤ駆動回路１２１ａ、緑色ＬＥＤを駆動するための緑色ＬＥＤ駆動回路１２１ｂ及び青色ＬＥＤを駆動するための青色ＬＥＤ駆動回路１２１ｃを含む。図１で、各ＬＥＤ駆動部１２１と基板１１０の分割領域を連結する実線の矢印は、該当ＬＥＤ駆動部が駆動するＬＥＤを含む分割領域を指している。
【０００７】
このような従来技術によるバックライトユニット１００は、基板１１０の分割領域の個数と同数のＬＥＤ駆動部１２１を必要とする。すなわち、分割領域当たり一つのＬＥＤ駆動部が備えられる。したがって、従来のＬＥＤバックライトユニットは、多数のＬＥＤ駆動部を必要とするので、ＬＥＤ駆動部を具現するための電気電子部品の数が増加し、それによって、電気電子部品を実装するための駆動ボードの面積が広くなるという問題が発生する。したがって、ＬＥＤバックライトユニットの製作単価が上昇し、ＬＥＤバックライトユニットのサイズが大きくなるという問題が発生する。尚、従来のＬＥＤバックライトユニットは、多数のＬＥＤ駆動部を制御するので、ＬＥＤを駆動するための制御の複雑さが増加するという問題が発生する。
【発明の開示】
【発明が解決しようとする課題】
【０００８】
本発明は、前述した従来技術の問題を解決するために案出されたもので、その目的は、一つのＬＥＤ駆動部が、基板上の複数の分割領域に配置された赤色、緑色及び青色ＬＥＤを駆動することにより、ＬＥＤバックライトユニットの製作費用を減少させ、ＬＥＤ駆動のための制御を単純にすることができるＬＥＤバックライトユニットを提供することにある。
【課題を解決するための手段】
【０００９】
前記のような目的を達成すべく、本発明は、
複数の分割領域を有する基板と、
前記基板上に配置され、一つの前記分割領域内に配置されるＬＥＤのうち少なくとも一部は、互いに電気的に連結される複数のＬＥＤと、
少なくとも二つ以上の前記分割領域内に配置された複数のＬＥＤに、駆動電力を提供するＬＥＤ駆動部と、を含むことを特徴とするＬＥＤバックライトユニットを提供する。
【００１０】
そして好ましくは、前記複数のＬＥＤにより放出される光量を検出するセンサ部と、前記センサ部からの検出光量と事前決定された基準光量を比べ、その比較結果によって、前記ＬＥＤ駆動部から前記ＬＥＤに提供される電力を制御する制御部と、をさらに含むことを特徴とするＬＥＤバックライトユニットを提供する。
【００１１】
また好ましくは、前記ＬＥＤ駆動部は、電源電力をオン／オフスイッチングすることで、前記ＬＥＤに提供される駆動電力の大きさを決定するＰＷＭ駆動部を含むことができる。そして、前記制御部は、前記ＰＷＭ駆動部のオン／オフスイッチングデューティ比を決定することで、前記駆動部から提供される駆動電力を制御することができる。
【００１２】
そして好ましくは、前記複数のＬＥＤは、赤色光を放出する複数の赤色ＬＥＤと、緑色光を放出する複数の緑色ＬＥＤと、青色光を放出する複数の青色ＬＥＤとを含み、一つの前記分割領域に配置された前記複数の赤色、緑色及び青色ＬＥＤは、同一な色相の光を放出するＬＥＤ間に、互いに電気的に連結されることができる。
【００１３】
また好ましくは、前記ＬＥＤ駆動部は、前記複数の赤色ＬＥＤに駆動電力を提供する赤色ＬＥＤ駆動回路と、前記複数の緑色ＬＥＤに駆動電力を提供する緑路ＬＥＤ駆動回路と、前記複数の青色ＬＥＤに駆動電力を提供する青色ＬＥＤ駆動回路とを含むことができる。
【発明の効果】
【００１４】
本発明によると、ＬＥＤ駆動部の数を減少させて、一つの駆動ボードにＬＥＤ駆動部を全部具現することにより、駆動ボードの製作費用を節減することができる。
【００１５】
また、ＬＥＤ駆動部の数が減少して、これを制御する制御部を簡単に構成することが可能となり、よってＬＥＤ駆動部の制御が簡単となる効果がある。
【００１６】
さらに、制御部を実装するための基板を別途に備えず、ＬＥＤ駆動部が実装される駆動ボードに一緒に実装することにより、基板製作費用を節減することができる。
【発明を実施するための最良の形態】
【００１７】
以下、本発明の好ましき実施例を添付の図面を参照してより詳しく説明する。しかし、本発明の実施の形態は他の様々な形態に変更可能で、本発明の範囲が後術される実施の形態に限定されるのではない。本発明の実施の形態は、本発明の属する技術分野において通常の知識を有する者に、本発明をより完全に説明するために提供されるものである。したがって、図面に図示された構成要素の形状及び大きさなどは、より明確な説明のために誇張されることがある。
【００１８】
図２は、本発明の一実施の形態によるＬＥＤバックライトユニット２００を図示した概略図である。
【００１９】
図２に示すように、ＬＥＤバックライトユニット２００は、基板２１０、複数のＬＥＤ２１１及びＬＥＤ駆動部２２１を含んで構成される。
【００２０】
前記基板２１０は、複数の分割領域を有する。図２で、前記複数の分割領域は、点線で互いに区分されている。前記基板２１０上には、複数のＬＥＤ２１１が配置される。
【００２１】
前記基板２１０としては、通常ＬＥＤバックライトに用いられる金属コアＰＣＢ（Ｍｅｔａｌ  Ｃｏｒｅ  Ｐｒｉｎｔｅｄ  Ｃｉｒｃｕｉｔ  Ｂｏａｒｄ：ＭＣＰＣＢ）を使用することができる。前記金属コアＰＣＢは、金属材質、例えばＡｌのコア上下面に絶縁体プレートを形成したＰＣＢであって、発熱が大きいＬＥＤを多数実装する場合、熱の放出が容易であるという特性を有する。また、基板のサイズが大きくなると、外部衝撃や熱などに弱い可能性があるので、前記基板２１０は、各分割領域別に互いに分離される形態で製作することができる。
【００２２】
一方、直下型バックライトユニットに適用される基板は、液晶パネル（図示せず）とほぼ同一な面積を有することが可能で、エッジ型バックライトユニットに適用される基板は、導光板（図示せず）の光が入射する側面とほぼ同一な面積を有することができる。図２に図示されたバックライトユニット２００は、直下型の一例であり、本発明の直下型に限定されるのではない。
【００２３】
前記複数のＬＥＤ２１１は、基板２１０上に配置され、前記基板２１０の上面に形成された導電パターン（図示せず）により、少なくとも一部が互いに電気的に連結されることができる。好ましく、前記複数のＬＥＤ２１１は、基板２１０上の各分割領域ごとに同一な個数で配置されることができ、一つの分割領域内に配置されたＬＥＤらの少なくとも一部は、互いに電気的に連結されることができる。
【００２４】
例えば、前記ＬＥＤ２１１は、ＬＥＤ素子そのものが白色光を放出する白色ＬＥＤのみからなることができる。他の例で、前記ＬＥＤ２１１は、赤色光、緑色光及び青色光を各々発光する赤色ＬＥＤ，緑色ＬＥＤ及び青色ＬＥＤを含み、前記三色の光を互いに混合して白色光を生成することができる。赤色ＬＥＤ、緑色ＬＥＤ及び青色ＬＥＤを用いて白色光を生成する例で、前記各分割領域に含まれた赤色ＬＥＤ、緑色ＬＥＤ及び青色ＬＥＤは、各色相別に互いに同一なことが好ましい。
【００２５】
赤色、緑色及び青色ＬＥＤを用いて白色光を供給する場合、白色光を発光する白色ＬＥＤを使用する方より、良質の白色光を供給することができる。これは、赤色、緑色及び青色ＬＥＤを各々別々の駆動回路により駆動する場合、各色相の強度を個別的に制御することが可能なので、使用者が求める色感または色温度を有する白色光を生成することができるからである。
【００２６】
一般に、白色光には、緑色光が赤色光及び青色光より多く含まれると知られているので、より良質の白色光を具現するため、緑色光を発光する緑色ＬＥＤを赤色及び青色ＬＥＤより多く含むことができる。例えば、赤色ＬＥＤ、緑色ＬＥＤ、青色ＬＥＤの個数の比が１：２：１になるようにＬＥＤを備えることができる。
【００２７】
前記赤色、緑色及び青色ＬＥＤは、基板の分割領域内で各色相別に所定の連結構造を有し、電気的に連結されて配置されることができる。例えば、前記赤色、緑色及び青色ＬＥＤは、基板の分割領域内で、同一な色相のＬＥＤ間に直列連結構造、或いは並列連結構造を形成することができ、直列と並列連結構造が混用されることもできる。また、基板の分割領域内で各色相のＬＥＤら間に形成された連結構造は、他の分割領域に配置されたＬＥＤらの連結構造と連結されることもできる。
【００２８】
前記ＬＥＤ駆動部２２１は、発光に必要な駆動電力を前記ＬＥＤ２１１に提供する。前記ＬＥＤ２１１が赤色、緑色及び青色ＬＥＤを含む例において、前記ＬＥＤ駆動部２２１は、赤色ＬＥＤに駆動電力を提供する赤色ＬＥＤ駆動回路２２１ａ、緑色ＬＥＤに駆動電力を提供する緑色ＬＥＤ駆動回路２２１ｂ及び青色ＬＥＤに駆動電力を提供する青色ＬＥＤ駆動回路２２１ｃを含むことができる。本発明において、前記ＬＥＤ駆動部２２１各々は、少なくとも二つの分割領域内に配置された複数のＬＥＤ２１１に駆動電力を提供することを特徴とする。例えば、図２に図示された実施の形態のように、ＬＥＤ駆動部２２１は、互いに隣接する二つの分割領域内に配置された赤色、緑色及び青色ＬＥＤを駆動することができる。図２で、各ＬＥＤ駆動部２２１と基板２２０の分割領域を連結する実線の矢印は、該当ＬＥＤ駆動部２２１が、矢印が指す分割領域内に配置されたＬＥＤらに駆動電力を提供することを表示している。このような矢印に対する技術的意味は、後術される図３にも同一に適用される。
【００２９】
図２の実施の形態で、一つの前記ＬＥＤ駆動部２２１により駆動される二つの分割領域内に配置された複数の赤色、緑色及び青色ＬＥＤ２１１は、各分割領域内で同一色相を発光するＬＥＤ間に電気的連結を形成する。二つの分割領域各々に形成されたＬＥＤ連結構造は、互いに直列または並列連結されて、一つのＬＥＤ駆動部２２１に電気的に連結されることができる。例えば、各分割領域内に配置されたＬＥＤらは、同一な色相を発光するＬＥＤ間に直列連結構造を形成することが可能で、異なる二つの分割領域に各々配置された該直列連結構造は、互いに並列連結されて、該当色相のＬＥＤ駆動回路に電気的に連結されることができる。
【００３０】
前述したように、本発明は、一つのＬＥＤ駆動部２２１が、少なくとも二つの分割領域に配置された複数のＬＥＤ２１１を駆動するので、ＬＥＤ駆動部２２１の数が、従来のＬＥＤ駆動部に比べて、半分以下に減少することができる。また、ＬＥＤ駆動部２２１の数が減少するので、複数のＬＥＤ駆動部２２１全部を、一つの駆動ボード２２０内に実装することが容易である。したがって、従来のＬＥＤバックライトユニットが最小二つの駆動ボードにＬＥＤ駆動部を具現することを勘案すると、本発明は、駆動ボードの数を一つに減少させて、ボードの製作費用を節減することができる。
【００３１】
一方、ＬＥＤ駆動部２２１は、外部から印加される電源電力をオン／オフスイッチングすることで、ＬＥＤ２１１に提供される駆動電力の大きさを決定するＰＷＭ駆動部を含むことができる。前記電源電力は、前記ＬＥＤ駆動部２２１の前に配置されるスイッチングモード電源供給装置（ＳＭＰＳ）により提供され、前記ＬＥＤ駆動部２２１は、前記電源電力を供給される。ＬＥＤ駆動に適切な大きさの駆動電力に変換して、ＬＥＤに提供する。前記ＰＷＭ駆動部は、適切な駆動電力を出力できるように定まったデューティ比によってオン／オフすることにより、電源電力を駆動電力に変換する。前記デューディ比は、既設定され、固定された値であることが可能で、後術する制御部により可変する値であることができる。
【００３２】
本発明は、ＬＥＤ駆動部の数を減少させるので、前記のようなＬＥＤ駆動部を具現するための電気電子部品の数を節減することが可能で、さらに、ＬＥＤ駆動部の各電気電子部品で消耗される電力を減少させることができる。
【００３３】
本発明の一実施の形態によるＬＥＤバックライトユニットは、前記複数のＬＥＤから放出される光量を検出するセンサ部２３０及び前記センサ部２３０からの検出光量と事前決定された基準光量を比べ、その比較結果によって前記ＬＥＤ駆動部２２１から前記ＬＥＤ２１１に提供される駆動電力を制御する制御部２４０をさらに含むことができる。
【００３４】
前記センサ部２３０は、ＬＥＤら２１１から放出される光量を検出する。ＬＥＤ２１１が赤色、緑色及び青色ＬＥＤを含む実施の形態で、前記センサ部２３０は、赤色、緑色及び青色ＬＥＤの光量を色相別に検出することが好ましい。前記センサ部２３０は、赤色、緑色及び青色ＬＥＤから発光される光量を検出する多数のフォトトランジスタを含んで構成できるが、本発明はこれに限定されず、光量を検出できる多様な形態のセンサで構成されることができる。前記センサ部２３０は、基板２１０の各分割領域別に該当分割領域に配置されたＬＥＤから放出される光量を各々検出するために、多数のセンサからなることができる。しかし、複数のセンサを用いて、各々のセンサが光量を検出するようにすることは、センサ部の回路を複雑にし、各分割領域が実質的に同一なＬＥＤ配置構造を有する場合、各分割領域から放出される光量の差は極めて小さいので、前記センサ部２３０は、複数の分割領域のうち少なくとも一部の分割領域に配置されたＬＥＤから放出される光量を検出することが好ましい。
【００３５】
前記制御部２４０は、前記センサ部２３０で検出されたＬＥＤ２１１の検出光量と既設定された基準光量を比べ、その比較結果によって、ＬＥＤが前記基準光量を放出できるように、ＬＥＤ駆動部から出力される駆動電力を制御する。
【００３６】
通常ＬＥＤは、温度、駆動電圧または駆動電流のような外部環境によってその光量が変化し、ＬＥＤ種類のよってその変動量も変わる。したがって、均一な白色光を供給するためには、赤色、緑色及び青色ＬＥＤから発光される赤色光、緑色光及び青色光を均一にすることが重要である。均一な白色光を供給するために、センサ部２３０は、ＬＥＤ２１１から出力される光量を検出してから、検出された光量を制御部２４０にフィードバックさせ、制御部２４０は、センサ部２３０で検出された光量と既設定された光量を比べて、現在ＬＥＤ２１１から放出される光量が前記設定光量と同一になるように、前記ＬＥＤ駆動部２２１から出力される駆動電力を制御する制御信号をＬＥＤ駆動部２２１に提供する。前記ＬＥＤ２１１が赤色、緑色及び青色ＬＥＤを含む実施の形態で、前記センサ部は各色相別光量を検出し、前記制御部は各色相に対して検出された光量と各色相に対して既設定された光量を各々比べて、各色相のＬＥＤに提供される駆動電力を制御する制御信号を、ＬＥＤ駆動部２２１内の赤色、緑色及び青色ＬＥＤ駆動回路２２１ａ、２２１ｂ、２２１ｃに提供する。
【００３７】
一般に、ＬＥＤは、駆動電流によってその光量が変動する。すなわち、駆動電流が大きい場合は、ＬＥＤから放出される光量は増加し、駆動電流が小さい場合は、ＬＥＤから放出される光量は減少する。したがって、同一な駆動電圧と周辺温度で、駆動電流の大きさを調節することにより、ＬＥＤから発光される光量を調節することができる。
【００３８】
したがって、前記制御部２４０は、各ＬＥＤ駆動部２２１に、前記ＬＥＤ駆動部の赤色、緑色及び青色ＬＥＤ２１１の駆動電流の大きさを各々制御するための制御信号を供給する。前記制御部２４０は、前記センサ部２３０で検出された赤色、緑色及び青色ＬＥＤ２１１の光量によって、前記ＬＥＤ駆動部２２１から出力される駆動電流を変動させる制御信号を供給することができる。
【００３９】
好ましくは、前記制御部２４０は、前記センサ部２３０からの赤色、緑色及び青色ＬＥＤ２１１に対する検出光量が既設定された基準光量より少ない場合、前記駆動電流を増加させる制御信号を供給して、赤色、緑色及び青色ＬＥＤ２１１の光量を増加させ、既設定された光量より多い場合、前記駆動電流を減少させる制御信号を供給して、赤色、緑色及び青色ＬＥＤ２１１の光量を減少させる。
【００４０】
増加または減少した赤色、緑色及び青色ＬＥＤ２１１の光量値がまたセンサ部２３０により検出されて、制御部２４０にフィードバックされ、制御部２４０が、フィードバックされた赤色、緑色及び青色ＬＥＤ２１１の光量によって調整された制御信号を供給することにより、赤色、緑色及び青色ＬＥＤ２１１の光量を一定に維持することができる。
【００４１】
一方、前述したように、前記ＬＥＤ駆動部がスイッチのオン／オフを用いるＰＷＭ駆動部を有する場合、前記制御部２４０は、前記ＰＷＭ駆動部のオン／オフスイッチングのデューティ比を制御する制御信号を生成することができる。
【００４２】
一般に、ＬＥＤの駆動電流の大きさは、ＰＷＭ駆動部のオン／オフスイッチングのデューティ比により調節されることができる。すなわち、ＰＷＭ駆動部のオン／オフデューティ比が大きければ駆動電流が増加し、デューティ比が小さければ駆動電流が減少する。したがって、前記制御部２４０は、検出光量と基準光量の比較結果によって、ＰＷＭ駆動部のオン／オフスイッチングデューティ比を決定することにより、前記駆動部から提供される駆動電流の大きさを制御することができ、それによってＬＥＤ２１１の放出光量を制御することができる。
【００４３】
例えば、前記制御部２４０は、前記センサ部２３０で検出された赤色、緑色及び青色ＬＥＤの光量に対する検出光量が既設定された基準光量より少ない場合は、赤色、緑色及び青色ＬＥＤ駆動回路内ＰＷＭ駆動部のオン／オフスイッチングデューティ比を増加させる制御信号を供給して、赤色、緑色及び青色ＬＥＤの光量を増加させることができる。一方、既設定された光量より多い場合は、赤色、緑色及び青色ＬＥＤ駆動回路内ＰＷＭ駆動部のオン／オフスイッチングデューティ比を減少させる制御信号を供給して、赤色、緑色及び青色ＬＥＤの光量を減少させることができる。
【００４４】
図３は、本発明の他の実施の形態によるＬＥＤバックライトユニットを図示した概略図である。
【００４５】
図３に示すように、ＬＥＤバックライトユニット３００は、図２のＬＥＤバックライトユニット２００のように、基板３１０、複数のＬＥＤ３１１、複数のＬＥＤ駆動部３２１、センサ部３３０及び制御部３４０を含んで構成される。
【００４６】
前記ＬＥＤ駆動部３２１は、赤色ＬＥＤを駆動する赤色ＬＥＤ駆動回路３２１ａ、緑色ＬＥＤを駆動する緑色ＬＥＤ駆動回路３２１ｂ及び青色ＬＥＤを駆動する青色ＬＥＤ駆動回路３２１ｃを含む。
【００４７】
前記複数のＬＥＤ駆動部３２１は、一つの駆動ボード３２０に具現させることができる。本実施の形態は、制御部３４０を別途の基板などに実装せず、駆動ボード３２０に複数のＬＥＤ駆動部３２１と一緒に具現したもので、これによって基板製作費用を節減することを特徴とする。
【００４８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４９】
【図１】従来技術によるＬＥＤバックライトユニットを図示した概略図である。
【図２】本発明の一実施の形態によるＬＥＤバックライトユニットを図示した概略図である。
【図３】本発明の他の実施の形態によるＬＥＤバックライトユニットを図示した概略図である。
【符号の説明】
【００５０】
２００、３００：ＬＥＤバックライトユニット
２１０、３１０：基板
２１１、３１１：ＬＥＤ
２２０、３２０：駆動ボード
２２１、３２１：ＬＥＤ駆動部
２２１ａ、３２１ｂ：赤色ＬＥＤ駆動回路
２２１ａ、３２１ｂ：緑色ＬＥＤ駆動回路
２２１ａ、３２１ｂ：青色ＬＥＤ駆動回路
２３０、２３０：センサ部
２４０、２４０：制御部
【図１】
2007305584.tif 000003
【図２】
2007305584.tif 000004
【図３】
2007305584.tif 000005